(57)【要約】【課題】バッテリーの汎用性を確保して、低コスト且つ軽量なパワーノズルを使用可能とする。【解決手段】充電式クリーナ１は、吸込口となるノズル３を有するクリーナ本体２に、モータと、そのモータによって回転駆動する吸込ファンと、モータの電源となるバッテリーパック１２とを備える一方、ノズル３に、ブラシ用モータによって回転駆動するブラシを備えたパワーノズル５を、延長ノズル４を介して接続してなり、バッテリーパック１２は、電動工具と共用可能で、ブラシ用モータの電源としても使用される。【選択図】図１
2017000196.tif 000002
【特許請求の範囲】
【請求項１】
吸込口を有するクリーナ本体に、モータと、そのモータによって回転駆動する吸込ファンと、前記モータの電源となるバッテリーとを備える一方、
前記吸込口に、ブラシ用モータによって回転駆動するブラシを備えたパワーノズルを接続した充電式クリーナであって、
前記バッテリーを、電動工具と共用可能なバッテリーパックとすると共に、前記ブラシ用モータの電源としても使用することを特徴とする充電式クリーナ。
【請求項２】
前記ブラシ用モータをＯＮ／ＯＦＦさせるモード選択スイッチを設けたことを特徴とする請求項１に記載の充電式クリーナ。
【請求項３】
前記パワーノズルの前方を照射可能な照明体を設けたことを特徴とする請求項１又は２に記載の充電式クリーナ。
【請求項４】
塵埃の吸込を検知する検知手段と、前記検知手段による塵埃の検知を報知する報知手段とを設けたことを特徴とする請求項１乃至３の何れかに記載の充電式クリーナ。
【請求項５】
前記検知手段によって塵埃を検知した際には、前記ブラシ用モータの回転数を上げる制御を行うことを特徴とする請求項４に記載の充電式クリーナ。
【請求項６】
前記バッテリーパックを、前記クリーナ本体内に収容したことを特徴とする請求項１乃至５の何れかに記載の充電式クリーナ。
【請求項７】
前記クリーナ本体にハンドルを形成して、前記バッテリーパックを前記ハンドルの下方に配置したことを特徴とする請求項１乃至６の何れかに記載の充電式クリーナ。
【発明の詳細な説明】
【技術分野】
【０００１】
本発明は、バッテリーを電源とする充電式クリーナに関する。
【背景技術】
【０００２】
充電式クリーナは、例えば特許文献１に開示のように、吸込口を備えたケースの内部に、フィルタ、吸込ファン、モータ、制御回路基板（コントローラ）、バッテリーをそれぞれ収容してケースに排気口を形成してなる。ケースに設けたスイッチをＯＮ操作してモータを駆動させると、吸込ファンが回転して吸込口から外気を吸い込み、フィルタによって塵埃を捕捉して本体内に集塵することができる。
【先行技術文献】
【特許文献】
【０００３】
【特許文献１】特開２０１３−２３３０５６号公報
【発明の概要】
【発明が解決しようとする課題】
【０００４】
このような充電式クリーナにおいては、専用のバッテリーが内蔵されるため、クリーナの出力等に合わせて異なるバッテリーを用意する必要があり、汎用性がない。また、吸込口に延長ノズルを介して横長の幅広ノズルをアタッチメントとして接続することがあるが、幅広ノズルがモータ駆動するブラシを備えたいわゆるパワーノズルである場合、専用のバッテリーをパワーノズルに搭載する必要があり、コストや重量がかさむことになる。
【０００５】
そこで、本発明は、バッテリーの汎用性を確保でき、低コスト且つ軽量なパワーノズルを使用できる充電式クリーナを提供することを目的としたものである。
【課題を解決するための手段】
【０００６】
上記目的を達成するために、請求項１に記載の発明は、吸込口を有するクリーナ本体に、モータと、そのモータによって回転駆動する吸込ファンと、モータの電源となるバッテリーとを備える一方、吸込口に、ブラシ用モータによって回転駆動するブラシを備えたパワーノズルを接続した充電式クリーナであって、バッテリーを、電動工具と共用可能なバッテリーパックとすると共に、ブラシ用モータの電源としても使用することを特徴とする。
請求項２に記載の発明は、請求項１の構成において、ブラシ用モータをＯＮ／ＯＦＦさせるモード選択スイッチを設けたことを特徴とする。
請求項３に記載の発明は、請求項１又は２の構成において、パワーノズルの前方を照射可能な照明体を設けたことを特徴とする。
請求項４に記載の発明は、請求項１乃至３の何れかの構成において、塵埃の吸込を検知する検知手段と、検知手段による塵埃の検知を報知する報知手段とを設けたことを特徴とする。
請求項５に記載の発明は、請求項４の構成において、検知手段によって塵埃を検知した際には、ブラシ用モータの回転数を上げる制御を行うことを特徴とする。
請求項６に記載の発明は、請求項１乃至５の何れかの構成において、バッテリーパックを、クリーナ本体内に収容したことを特徴とする。
請求項７に記載の発明は、請求項１乃至６の何れかの構成において、クリーナ本体にハンドルを形成して、バッテリーパックをハンドルの下方に配置したことを特徴とする。
【発明の効果】
【０００７】
本発明によれば、電動工具と共用可能なバッテリーパックを電源として使用することで、バッテリーパックの汎用性を確保できる。また、バッテリーパックをパワーノズルの電源としても使用するので、低コスト且つ軽量なパワーノズルが使用可能となる。
【図面の簡単な説明】
【０００８】
【図１】充電式クリーナの斜視図である。
【図２】充電式クリーナの一部縦断面図である。
【図３】パワーノズルの正面図である。
【図４】図３のＡ−Ａ線断面図である。
【図５】パワーノズルの平面図である（上ハウジングは省略）。
【図６】パワーノズルの斜視図である（上ハウジングは省略）。
【図７】変更例の充電式クリーナの斜視図である。
【図８】変更例の充電式クリーナの一部縦断面図である。
【図９】変更例の充電式クリーナの斜視図である。
【図１０】図９のＡ部拡大図である。
【図１１】変更例のパワーノズルの斜視図である。
【図１２】図１１のＢ部拡大図である。
【図１３】変更例の充電式クリーナの側面図である。
【発明を実施するための形態】
【０００９】
以下、本発明の実施の形態を図面に基づいて説明する。
図１は、充電式クリーナの一例を示す斜視図、図２は一部縦断面図である。この充電式クリーナ（以下単に「クリーナ」という。）１は、クリーナ本体２と、クリーナ本体２の前端に接続される吸込口としてのノズル３と、ノズル３の前端に接続される延長ノズル４と、延長ノズル４の前端に接続されるパワーノズル５とからなる。
まず、クリーナ本体２は、モータ８及びファンユニット９を内蔵した左右二つ割りの後ハウジング６の前方に、先端にノズル３を接続した前ハウジング７を組み付けてなる。後ハウジング６の上部には、ハンドル１０が形成される一方、下部には、バッテリー装着部１１が形成されて、ハンドル１０の下方で電源となるバッテリーパック１２が着脱可能となっている。
【００１０】
このバッテリーパック１２は、インパクトドライバ等の他の電動工具にも使用されるもので、バッテリー装着部１１も、電動工具に形成されるバッテリー装着部と同様に、バッテリーパック１２が後方からスライド装着される左右一対のガイドレール１３，１３と、その間に位置する図示しない端子台とを備えている。
ファンユニット９は、モータ８によって回転する図示しない吸込ファンと、吸い込まれる空気を整流する整流リブ等を備える。ファンユニット９の前方には、前ハウジング７内へ突出するフィルタ部１４が設けられ、ファンユニット９の後方で後ハウジング６の左右には、排気口１５，１５・・が形成されている。ハンドル１０の上面には、モータ８をＯＮ／ＯＦＦさせる操作ボタン１７，１７を露出させたスイッチ基板１６が設けられて、モータ８の上方には、モータ８及びバッテリー装着部１１の端子台、スイッチ基板１６に図示しないリード線によって電気的に接続される制御回路基板１８が設けられている。
【００１１】
前ハウジング７は、前方へ先細りとなる筒状で、内部に、フィルタ部１４で捕捉された塵埃を貯留する集塵室１９を形成して、上面には、集塵室１９を開閉可能な蓋２０を備えている。ノズル３の上面には、差し込まれた延長ノズル４の後端に設けた係止凹部２２に係止可能なフック２１が、バネ２３（図１３）によって係止方向へ付勢された状態で設けられている。２４は、フック２１の後端に設けられて押し操作でフック２１を係止解除側へ揺動させる解除ボタンである。このフック２１は、延長ノズル４の前端上面にも設けられている。
また、ノズル３には、制御回路基板１８からクリーナ本体２内で引き回された図示しないリード線が接続されたメス端子（図示せず）が設けられて、延長ノズル４の後端には、ノズル３との接続状態でメス端子に差込接続される図示しない端子ピンが設けられている。延長ノズル４の前端には、パワーノズル５との接続状態でパワーノズル４側に設けられた端子ピン２５（図３，４）が差込接続される図示しないメス端子が設けられている。延長ノズル４の端子ピン２５とメス端子とは、図示しないリード線によって互いに電気的接続されている。
【００１２】
パワーノズル５は、図３〜６に示すように、左右方向へ幅広に形成されるノズル部２６に、くの字状のパイプ２７を回転可能に連結した平面視Ｔ字状となっている。
ノズル部２６は、上下に二分割された上ハウジング２８と下ハウジング２９とを下方からネジ３０，３０・・で結合することで組み付けられる。ノズル部２６の後側中央には、パイプ２７の連結部３１が、その側方にはモータ収容部３２が、前方には、連結部３１と連通するブラシ収容部３３がそれぞれ形成されている。また、下ハウジング２９におけるブラシ収容部３３の下面には横長吸込口３４が開口形成されて、下ハウジング２９の後端においてパイプ２７の両側に当たる部位には、一対のローラ３５，３５が設けられている。
【００１３】
連結部３１は、上ハウジング２８と下ハウジング２９とにそれぞれ形成されて内面を半球面状とした上下一対の受け座３６，３６によって形成されており、この連結部３１に、パイプ２７の先端を貫通させたカップ３７が保持されている。カップ３７は、外面を球面状としたリング体で、左右の外面には支軸３８，３８が点対称に突設されて、受け座３６の端部にそれぞれ形成された半円状の切欠き３９によって上下から保持されている。このカップ３７に貫通させたパイプ２７の先端には、止めリング４０が外装されている。よって、パイプ２７は、カップ３７によって連結部３１内で左右の支軸３８，３８を中心に回転可能に連結される。
【００１４】
一方、パイプ２７の外周には、周方向にリング状リブ４１が周設されて、そのリング状リブ４１に、一対の端子ピン２５，２５が軸方向と平行に支持されている。４２は、パイプ２７の上面に設けられる端子カバーで、端子ピン２５，２５の間でパイプ２７に突設したボス４３にネジ４４によって固定される。この端子カバー４２は、リング状リブ４１の前方部分を覆う半筒状で、パイプ２７への取付状態で、パイプ２７の上側を非接触で覆う。この端子カバー４２とパイプ２７との隙間に、端子ピン２５，２５に接続された図示しないリード線が引き回されて、モータ収容部３２へ出力軸４６が外側となる横向きに収容されたブラシ用モータ４５に接続される。
ブラシ収容部３３には、ブラシ軸４８にブラシ毛４９を螺旋状に植設したブラシ４７が回転可能に収容されて、ブラシ用モータ４５の出力軸４６とブラシ軸４８の端部に設けたプーリ５０との間にベルト５１が張設されている。
【００１５】
以上の如く構成されたクリーナ１においては、パワーノズル５を延長ノズル４に接続し、延長ノズル４をノズル３に接続した図１，２の状態では、延長ノズル４を介して制御回路基板１８とパワーノズル５のブラシ用モータ４５とが電気的に接続され、バッテリーパック１２の電源が供給可能となる。ここでクリーナ本体２の操作ボタン１７をＯＮ操作すると、モータ８が駆動してファンユニット９内の吸込ファンが回転すると共に、ブラシ用モータ４５も駆動してベルト５１を介してブラシ４７を回転させる。よって、ノズル部２６の横長吸込口３４から外気が吸引されてパイプ２７、延長ノズル４、ノズル３を通過してフィルタ部１４及びファンユニット９を介してクリーナ本体２の排気口１５から排出される。これにより、外気と共に吸引された塵埃がフィルタ部１４に捕捉される。特に、パワーノズル５ではブラシ４７が回転することで、床等の粉塵が掻き上げられて効率良く吸引される。
【００１６】
このように、上記形態のクリーナ１によれば、バッテリーを、電動工具と共用可能なバッテリーパック１２とすると共に、ブラシ用モータ４５の電源としても使用することで、バッテリーパック１２の汎用性を確保でき、低コスト且つ軽量なパワーノズル５が使用可能となる。
特にここでは、クリーナ本体２にハンドル１０を形成して、バッテリーパック１２をハンドル１０の下方に配置しているので、クリーナ本体２をバランス良く把持でき、バッテリーパック１２が上方のハンドル１０によって衝撃から保護される。
【００１７】
なお、上記形態では、バッテリーパック１２を後方からスライド装着させる構造としているが、バッテリー装着部を横向きに形成して左右方向からスライド装着させるようにしてもよい。また、バッテリーパックは一つに限らず、例えば２つ並べて後方から或いは側方からスライド装着させて電源とすることもできる。延長ノズル４も省略してノズル３に直接パワーノズル５を接続して使用してもよい。
【００１８】
また、バッテリーパックは内蔵する場合に限らず、バッテリーパックの形態によっては図７〜９に示すクリーナ１Ａのように、クリーナ本体２に開閉蓋５３付きのバッテリー収容部５２を形成して、バッテリー収容部５２にバッテリーパック１２Ａを収容することもできる。
このようにバッテリーパック１２Ａをクリーナ本体２内に収容すれば、バッテリーパック１２Ａが露出せずに見栄えが良くなる上、クリーナ１Ａを落下等した際の衝撃も緩和して損傷防止に繋がる。なお、このクリーナ１Ａのクリーナ本体２は、前ハウジング６と後ハウジング７とを一体形成した左右一対の半割ハウジングを組み付けて形成されている。
【００１９】
さらに、この変更例では、図１０に示すように、スイッチ基板１６において、操作ボタン１７，１７に加えて、ブラシ用モータ４５のＯＮ／ＯＦＦ切替が可能なモード選択スイッチとしてのモード選択ボタン５４を設けて、制御回路基板１８のマイコンにより、モード選択ボタン５４の押し操作があった場合にのみブラシ用モータ４５に給電してブラシ４７を動作させるようにしている。
このようにブラシ用モータ４５をＯＮ／ＯＦＦさせるモード選択ボタン５４を設ければ、ユーザーが必要に応じてパワーノズル５の使用を選択でき、使い勝手の向上が期待できる。なお、パワーノズル５のモード切替は、制御回路基板１８のマイコン制御によるものに限らず、単純にクリーナ本体２のモータ回路と並列にブラシ用モータ４５のモータ回路を形成して当該モータ回路に設けたモード選択スイッチの操作によってモード切替を可能としてもよい。
【００２０】
また、パワーノズルにおいても、図１１，１２に示すパワーノズル５Ａのように、上ハウジング２８におけるパイプ２７を中心とした左右対称位置に、ＬＥＤ５５をそれぞれ把持する一対の筒部５６，５６を、清掃時のノズル部２６の進行方向前向きに設置したものとして、パワーノズル５Ａの使用時にはＬＥＤ５５，５５を点灯させるようにしてもよい。
このようにパワーノズル５Ａの前方を照射可能な照明体（ＬＥＤ５５）を設ければ、暗い場所での清掃も容易に行える。なお、ＬＥＤの数や位置は適宜変更可能で、ノズル部２６の中央に一つだけ設けたり、クリーナ本体２へ下向きに設けたりすることもできる。また、照明体を点灯させるタイミングも、パワーノズルの使用時のみに限らず、非使用時にも点灯させるようにしてもよい。照明体専用のＯＮ／ＯＦＦスイッチを設けることも可能である。
【００２１】
さらに、図１３に示すクリーナ１Ｂのように、ノズル３内の後部寄りの位置に、吸い込んだ塵埃を検知するセンサ５７，５７（赤外線センサ等の非接触式のもの）を設けて、センサ５７によって塵埃を検知した際には、ハンドル１０の前側に設けたＬＥＤ５８を点灯させるようにしてもよい。
このように塵埃の吸込を検知する検知手段（センサ５７）とそれを報知する報知手段（ＬＥＤ５８）とを設ければ、ユーザーに塵埃の有無を知らせることができ、効率的な清掃が可能となる。なお、ＬＥＤの位置は適宜変更可能で、パワーノズルに設けてもよいし、図１１で説明した照明体と兼用することもできる。検知手段もパワーノズル側に設けることが可能である。
また、検知手段によって塵埃の吸込を検知した際には、制御回路基板１８がブラシ用モータ４５の回転数を上げる制御を行うようにしてもよい。こうすれば塵埃を効率よく集塵可能となる。
【００２２】
その他、パワーノズルにマイナスイオン発生器を設けて、ブラシ４７の回転駆動に連動してマイナスイオンを発生させるようにしてもよい。この場合、プラスに帯電している塵埃にマイナスイオンが結合して中和することで、塵埃が床面から離れやすくなって集塵効率が上がることになる。
これらの変更例は、複数を組み合わせて実施することも可能である。
【符号の説明】
【００２３】
１，１Ａ，１Ｂ・・充電式クリーナ、２・・クリーナ本体、３・・ノズル、４・・延長ノズル、５，５Ａ・・パワーノズル、６・・後ハウジング、、７・・前ハウジング、８・・モータ、９・・ファンユニット、１０・・ハンドル、１１・・バッテリー装着部、１２，１２Ａ・・バッテリーパック、１６・・スイッチ基板、１７・・操作ボタン、１８・・制御回路基板、１９・・集塵室、２６・・ノズル部、２７・・パイプ、２８・・上ハウジング、２９・・下ハウジング、３４・・横長吸込口、４５・・ブラシ用モータ、４７・・ブラシ、５２・・バッテリー収容部、５４・・モード選択ボタン、５５，５８・・ＬＥＤ、５７・・センサ。
【図１】
2017000196.tif 000003
【図２】
2017000196.tif 000004
【図３】
2017000196.tif 000005
【図４】
2017000196.tif 000006
【図５】
2017000196.tif 000007
【図６】
2017000196.tif 000008
【図７】
2017000196.tif 000009
【図８】
2017000196.tif 000010
【図９】
2017000196.tif 000011
【図１０】
2017000196.tif 000012
【図１１】
2017000196.tif 000013
【図１２】
2017000196.tif 000014
【図１３】
2017000196.tif 000015